(57)【要約】【課題】ユーザの発汗によるセンサの測定精度低下を抑制すること。【解決手段】生体情報取得装置は、第１の面にセンサを備える本体部と、前記本体部を保持し、前記第１の面とは異なる第２の面をユーザの身体に向けて前記本体部を装着させるバンド部とを有し、前記本体部は、前記第１の面に形成された凹部と、前記凹部に接続し、前記第２の面まで延びる溝部とを有する。【選択図】図３
2018093891.tif 000002
【特許請求の範囲】
【請求項１】
第１の面にセンサを備える本体部と、
前記本体部を保持し、前記第１の面とは異なる第２の面をユーザの身体に向けて前記本体部を装着させるバンド部とを有し、
前記本体部は、
前記第１の面に形成された凹部と、
前記凹部に接続し、前記第２の面まで延びる溝部と
を有することを特徴とする生体情報取得装置。
【請求項２】
前記バンド部は、
前記センサに対応する位置に開口部を有することを特徴とする請求項１記載の生体情報取得装置。
【請求項３】
前記本体部は、
前記凹部に貯留された水分量を測定する水検知センサをさらに有することを特徴とする請求項１記載の生体情報取得装置。
【請求項４】
前記バンド部は、
前記水検知センサに対応する位置に開口部を有することを特徴とする請求項３記載の生体情報取得装置。
【発明の詳細な説明】
【技術分野】
【０００１】
本発明は、生体情報取得装置に関する。
【背景技術】
【０００２】
近年、例えばユーザの腕などに装着して生体情報を取得するウェアラブル端末が普及しつつある。ウェアラブル端末は、ユーザの身体に装着されて使用されるため、例えばユーザの脈拍数を計数し、ユーザの身体の状況をモニタリングすることなどが可能となっている。ユーザの脈拍を検知する脈拍センサとしては、光の反射量を測定するものなどがある。
【０００３】
このようなウェアラブル端末は、例えば熱中症予防などに用いることができる。すなわち、例えば周囲の温度及び湿度を測定する温湿度センサと及び脈拍センサなどを搭載するウェアラブル端末が気温及び湿度とユーザの脈拍とを取得し、これらの情報から熱中症の危険性を推定することができる。温湿度センサは、周囲の温度及び湿度を測定するため、ウェアラブル端末がユーザの身体に装着された状態でユーザの身体とは反対側の面に搭載される一方、脈拍センサは、ユーザの身体側の面に搭載されるのが一般的である。そして、これらの温湿度センサ及び脈拍センサなどを搭載する筐体は、例えばラバーバンドによってユーザの身体に装着される。
【０００４】
図６は、温湿度センサ及び脈拍センサを備えたウェアラブル端末の構成の具体例を示す断面模式図である。図６に示すように、ウェアラブル端末は、ラバーバンド１０の内部に筐体２０が保持されて構成される。筐体２０の一面には温湿度センサ２１が設けられ、筐体２０の他の一面には脈拍センサ２２が設けられる。そして、温湿度センサ２１の部分においては、ラバーバンド１０に開口部１１が形成されている。このため、温湿度センサ２１は、ウェアラブル端末がユーザの身体に装着された状態でも、周囲の温度及び湿度を測定することができる。また、温湿度センサ２１とは反対側の面に搭載された脈拍センサ２２は、ユーザの身体に対向することにより、正確にユーザの脈拍を検知することができる。
【先行技術文献】
【特許文献】
【０００５】
【特許文献１】特開２０１６−９６９５５号公報
【発明の概要】
【発明が解決しようとする課題】
【０００６】
しかしながら、ウェアラブル端末がユーザの身体に装着される場合には、ユーザの発汗によって温湿度センサの測定精度が低下するという問題がある。すなわち、例えば図６に示した構成のウェアラブル端末においては、ユーザの発汗によって発生した蒸気がラバーバンド１０と筐体２０の間を伝って開口部１１付近で結露する。この結果、温湿度センサ２１による周囲の温度及び湿度の測定が阻害される。そして、周囲の温度及び湿度が正確に測定されないと、ウェアラブル端末を用いた熱中症予防も実現が困難となる。
【０００７】
開示の技術は、かかる点に鑑みてなされたものであって、ユーザの発汗によるセンサの測定精度低下を抑制することができる生体情報取得装置を提供することを目的とする。
【課題を解決するための手段】
【０００８】
本願が開示する生体情報取得装置は、１つの態様において、第１の面にセンサを備える本体部と、前記本体部を保持し、前記第１の面とは異なる第２の面をユーザの身体に向けて前記本体部を装着させるバンド部とを有し、前記本体部は、前記第１の面に形成された凹部と、前記凹部に接続し、前記第２の面まで延びる溝部とを有する。
【発明の効果】
【０００９】
本願が開示する生体情報取得装置の１つの態様によれば、ユーザの発汗によるセンサの測定精度低下を抑制することができるという効果を奏する。
【図面の簡単な説明】
【００１０】
【図１】図１は、一実施の形態に係る生体情報取得装置の外観を示す斜視図である。
【図２】図２は、一実施の形態に係る生体情報取得装置の外観を示す他の斜視図である。
【図３】図３は、生体情報取得装置の構成を示す組み立て図である。
【図４】図４は、生体情報取得装置の本体部外観を示す斜視図である。
【図５】図５は、図１のＡ−Ａ線断面を示す模式図である。
【図６】図６は、生体情報取得装置の具体例を示す断面模式図である。
【発明を実施するための形態】
【００１１】
以下、本願が開示する生体情報取得装置の一実施の形態について、図面を参照して詳細に説明する。なお、この実施の形態により本発明が限定されるものではない。
【００１２】
図１及び図２は、一実施の形態に係る生体情報取得装置の外観を示す斜視図である。図１は、ユーザの身体に装着された状態で外側に露出する側の外観を示し、図２は、ユーザの身体に装着された状態でユーザの身体に向く側の外観を示す。
【００１３】
図１及び図２に示すように、生体情報取得装置は、ラバーバンド１００によって本体部２００が保持された構成となっている。ラバーバンド１００のベルト部１０１には、複数のベルト穴１０２が形成されており、ユーザが生体情報取得装置を腕に装着する場合には、ベルト部１０１を腕の周囲に巻き付け、適切な位置のベルト穴１０２に突起１０３を係合させる。そして、ベルト部１０１の先端部分を遊環１０４に挿通させる。
【００１４】
本体保持部１０５は、一面が開口する容器の形状となっており、内部に本体部２００を保持する。本体保持部１０５には、開口部１０６、１０７が形成されている。開口部１０６は、後述する温湿度センサに対応する位置に形成され、開口部１０７は、後述する水検知センサに対応する位置に形成されている。そして、本体部２００は、本体保持部１０５によって保持されており、ユーザの身体に向く側の面（以下「下面」という）に脈拍センサ２０１を搭載する。脈拍センサ２０１は、生体情報取得装置がユーザの身体に装着された状態で、所定波長の光をユーザの身体に照射し、ユーザの血液からの光の反射量を測定することにより、ユーザの脈拍を検知する。本体部２００は、容器形状の本体保持部１０５に嵌め込まれることにより、脈拍センサ２０１が搭載される下面を露出させた状態で保持される。
【００１５】
図３は、生体情報取得装置の構成を示す組み立て図である。図３に示すように、本体部２００は、ラバーバンド１００の本体保持部１０５に嵌め込まれる。本体部２００のラバーバンド１００側の面（以下「上面」という）には、温湿度センサ２０２と水検知センサ２０３とが搭載される。そして、温湿度センサ２０２に対応する位置には、ラバーバンド１００の開口部１０６が形成され、水検知センサ２０３に対応する位置には、ラバーバンド１００の開口部１０７が形成される。水検知センサ２０３は、本体部２００の上面に形成された凹部の中央に配置されており、この凹部には、本体部２００の下面へ延びる溝２０４が接続している。
【００１６】
温湿度センサ２０２に対応する位置の開口部１０６は、温湿度センサ２０２のサイズよりも大きい面積を有し、温湿度センサ２０２全体が開口部１０６の中に収まる。このため、温湿度センサ２０２周囲の通気性が良好になり、温湿度センサ２０２による気温及び湿度の測定精度低下を抑制することができる。一方、水検知センサ２０３に対応する位置の開口部１０７は、複数の小径の開口を有する網状の開口部となっている。
【００１７】
温湿度センサ２０２は、開口部１０６付近の気温及び湿度を測定する。水検知センサ２０３は、例えば赤外線を用いて凹部に貯留された水分量を測定することにより、ユーザの発汗量を測定する。溝２０４は、ユーザの身体に対向する本体部２００の下面から、発汗による蒸気を本体部２００の上面に形成された凹部へ誘導する。このように、溝２０４がユーザの発汗による蒸気を誘導するため、蒸気が溝２０４以外の部分を伝うことがなく、本体部２００の上面の凹部以外の部分が結露しない。結果として、温湿度センサ２０２の周囲が結露せず、温湿度センサ２０２は、正確に周囲の気温及び湿度を測定することができる。
【００１８】
図４は、本体部２００の外観を示す斜視図である。図４に示すように、本体部２００の上面には、温湿度センサ２０２が設けられるとともに水検知センサ２０３が設けられる。そして、水検知センサ２０３の周囲には、本体部２００の上面から凹む凹部２０５が形成されている。換言すれば、すり鉢状の凹部２０５の中央に水検知センサ２０３が設けられる。したがって、水検知センサ２０３は、凹部２０５に貯留された水分量を測定することができる。
【００１９】
凹部２０５には、３つの溝２０４が接続する。溝２０４は、凹部２０５から本体部２００の上面及び側面を通過して、下面まで延びる。このため、本体部２００がラバーバンド１００の本体保持部１０５によって保持されると、溝２０４が本体部２００の下面において開口する管を形成する。そして、生体情報取得装置がユーザの身体に装着された状態では、ユーザの発汗によって発生する蒸気が溝２０４へ進入し、凹部２０５へ誘導されて結露する。したがって、水検知センサ２０３が凹部２０５に貯留された水分量を測定することにより、ユーザの発汗量を測定することができる。発汗量の測定結果は、例えばユーザの熱中症の危険性を推定するのに用いることが可能である。
【００２０】
温湿度センサ２０２は、本体部２００の上面において、水検知センサ２０３、溝２０４及び凹部２０５に比較的近接して配置される。この位置関係により、生体情報取得装置がユーザの身体に装着された状態の温湿度センサ２０２周辺では、ユーザの発汗によって発生する蒸気の大部分が溝２０４によって誘導される。このため、温湿度センサ２０２の方へ向かう蒸気を少なくして、温湿度センサ２０２の周辺における結露を抑制することができ、温湿度センサ２０２による気温及び湿度の測定精度低下を抑制することができる。結果として、ユーザにかかる熱ストレスを正確に測定することができ、例えば熱中症の危険性を精度良く推定することが可能となる。
【００２１】
図５は、図１のＡ−Ａ線断面を示す模式図である。図５に示すように、本体部２００は、ラバーバンド１００の本体保持部１０５によって保持されており、本体部２００の上面には温湿度センサ２０２及び水検知センサ２０３が搭載される一方、下面には脈拍センサ２０１が搭載される。そして、温湿度センサ２０２に対応する位置には、ラバーバンド１００に開口部１０６が形成され、水検知センサ２０３に対応する位置には、ラバーバンド１００に開口部１０７が形成される。水検知センサ２０３の上方には、凹部２０５が形成されており、凹部２０５の底部には例えばガラスなどの透明材料で成形された窓部材２０３ａが嵌め込まれている。水検知センサ２０３は、窓部材２０３ａを介して凹部２０５へ赤外線を照射し、赤外線の反射量を測定することにより、凹部２０５に貯留された水分量を測定する。
【００２２】
凹部２０５には溝２０４が接続しており、溝２０４がラバーバンド１００の本体保持部１０５によって囲まれることにより、本体部２００の下面に開口部２０４ａを有し凹部２０５まで延びる管が形成されている。また、開口部２０４ａ付近においては、本体保持部１０５が本体部２００よりもユーザの身体側へ隆起し、隆起部１０５ａを形成している。この形状により、生体情報取得装置がユーザの身体に装着された状態では、ユーザの発汗によって発生した蒸気が隆起部１０５ａに囲まれた空間に収集され、開口部２０４ａから進入する。そして、この蒸気は、溝２０４を通過して凹部２０５で結露する。結露によって凹部２０５に貯留された水分量が水検知センサ２０３によって測定されることにより、ユーザの発汗量が測定される。
【００２３】
このとき、溝２０４以外の部分では、本体部２００とラバーバンド１００の本体保持部１０５とが密着するため、本体部２００とラバーバンド１００の間にユーザの発汗によって発生した蒸気が進入せず、温湿度センサ２０２の周囲が結露することがない。さらに、温湿度センサ２０２に対応する位置の開口部１０６が比較的大径であることから、温湿度センサ２０２周辺の通気性が良好であり、より確実に温湿度センサ２０２の周囲の結露を防止することができる。結果として、温湿度センサ２０２による気温及び湿度の測定精度低下を抑制することができる。
【００２４】
脈拍センサ２０１、温湿度センサ２０２及び水検知センサ２０３による測定結果は、例えばユーザが所持するスマートフォンなどの端末装置によって収集され、ユーザの脈拍、気温、湿度及びユーザの発汗量などに基づく熱中症の危険性の推定に用いられる。本実施の形態では、溝２０４及び凹部２０５によって温湿度センサ２０２の測定精度低下が抑制され、水検知センサ２０３によって測定されたユーザの発汗量が用いられることから、正確に熱中症の危険性を推定することができる。
【００２５】
以上のように、本実施の形態によれば、ラバーバンドによって本体部を保持する構造の生体情報取得装置において、温湿度センサが搭載される本体部の上面に、上面から凹む凹部を形成し、凹部から本体部の下面まで延びる溝を設ける。このため、生体情報取得装置がユーザの身体に装着された状態では、ユーザの発汗によって発生する蒸気が溝によって凹部まで誘導され、凹部以外の部分に位置する温湿度センサの周囲が蒸気によって結露することがない。結果として、生体情報取得装置がユーザの身体に装着された状態でユーザが発汗しても、温湿度センサによる気温及び湿度の測定精度低下を抑制することができる。
【００２６】
なお、上記一実施の形態においては、本体部２００の上面に温湿度センサ２０２が搭載されるものとしたが、他のセンサが上面に搭載されても良い。この場合でも、溝２０４及び凹部２０５によって、ユーザの発汗によって発生する蒸気が誘導されることから、センサに対する蒸気の影響を低減することができる。
【００２７】
また、溝２０４及び凹部２０５の形状は、図示したものに限定されない。すなわち、本体部２００の上面において、例えば温湿度センサ２０２を囲むように凹部が形成され、この凹部から本体部２００の下面へ延びる溝が形成されても良い。温湿度センサ２０２が凹部によって囲まれることにより、温湿度センサ２０２へ向かって伝う蒸気が凹部で結露し、蒸気が温湿度センサ２０２まで到達することを抑止することができる。
【００２８】
さらに、上記一実施の形態においては、本体部２００がラバーバンド１００によって保持される構造としたが、本体部２００は必ずしもゴム製のラバーバンド１００によって保持されなくても良い。本体部２００が他の材料のバンドによって保持される場合でも、溝２０４及び凹部２０５によって、本体部２００の上面のセンサに対する蒸気の影響を低減することができる。
【符号の説明】
【００２９】
１００  ラバーバンド
１０１  ベルト部
１０２  ベルト穴
１０３  突起
１０４  遊環
１０５  本体保持部
１０５ａ  隆起部
１０６、１０７  開口部
２００  本体部
２０１  脈拍センサ
２０２  温湿度センサ
２０３  水検知センサ
２０３ａ  窓部材
２０４  溝
２０４ａ  開口部
２０５  凹部
【図１】
2018093891.tif 000003
【図２】
2018093891.tif 000004
【図３】
2018093891.tif 000005
【図４】
2018093891.tif 000006
【図５】
2018093891.tif 000007
【図６】
2018093891.tif 000008